(57)【特許請求の範囲】
【請求項１】
各々識別情報が付加された複数の情報を受信して表示部に表示する情報受信装置であって、
複数の分類の内で所望する分類を任意に選択する選択手段と、
上記表示部に表示される受信情報に対して、上記選択手段で選択された分類への対応付け設定指示があった際は、その受信情報の識別情報を上記選択分類に対応づけて記憶する分類記憶手段と、
上記表示部に表示される受信情報に対して、その受信情報を記憶させる為の記憶指示があった際は、その受信情報の識別情報が上記分類記憶手段の何れかの分類に対応づけて記憶された識別情報か否かを判別する判別手段と、
上記判別手段で上記分類記憶手段の何れかの分類に対応づけて記憶された識別情報であると判別された際は、その分類に対応づけて上記受信情報を記憶し、上記判別手段で上記分類記憶手段の何れかの分類に対応づけて記憶された情報種別ではないと判別された際は、分類に対応づけられない情報として上記受信情報を記憶する受信情報記憶手段と、
上記各分類の内で所望分類に対する情報呼び出しが指定された場合には、その指定分類に対応づけて記憶された受信情報を検索して表示する情報表示手段と、
を備えることを特徴とする情報受信装置。
【請求項２】
上記受信情報記憶手段に記憶された受信情報の呼び出しが指定された場合には、この受信情報記憶手段に記憶された受信情報をその記憶された順番で表示するようにしたことを特徴とする請求項１記載の情報受信装置。
【発明の詳細な説明】
【０００１】
【発明の属する技術分野】
本発明は、複数の情報を受信し表示する情報受信装置に関する。
【０００２】
【従来の技術】
現在、ＦＭ放送電波に文字情報等の表示情報を多重化して送信し、この多重化して送信した情報を受信側に設けた表示手段に表示させるＦＭ放送電波を媒体としたサービスが行われている。このサービスは、いわゆる移動体ＦＭ文字多重放送とも称され、見えるラジオ（Visual Information Radio）として実用化されている。具体的には、送信側のＦＭ放送局から通常のＦＭ放送電波に文字や数字等の表示情報を多重化させた電波を送信し、受信側に設けた液晶ディスプレイ付き多重放送受信装置により前記電波を受信して、ＦＭ放送電波と文字や数字等の多重情報とを分離する。そして、この多重情報を液晶ディスプレイに表示して利用者の視認に供するようにしたものであり、これにより、利用者は例えば天気予報、交通情報等を文字により視認することが可能となる。
【０００３】
また、受信した多重情報が表示されている状態において、メモリキーを操作すると当該情報がメモリに記憶され、必要な複数の多重情報をメモリに記憶させておくことができ、必要時に呼び出しキーを操作することにより、この予め記憶させてある複数の多重情報を順次ディスプレイに表示させることもできる。さらに、電子手帳等において情報の記憶時に所定の編集操作を行うと、各情報毎に絵文字が付加されてメモリに記憶される。そして、呼び出し時に所望の情報に対応する絵文字を指定すると、指定された絵文字が付加されている情報がメモリー内で検索されて、液晶ディスプレイに順次表示され、これにより使用者は予め絵文字を付加して分類した所望の情報のみを視認することができるものがある。
【０００４】
【発明が解決しようとする課題】
このように従来の電子手帳機能を多重放送受信装置に搭載した場合、記憶した多重情報のうち所望の情報のみを呼び出して表示可能とするためには、表示された情報を記憶させる際、その都度絵文字を付加する編集操作を予め行っておく必要があり、操作が煩雑となってしまう。そこで、かかる編集操作を不要とするために、例えば各情報に割り当てられている番組番号と絵文字とを対応させ、当該番組番号の情報をメモリに記憶させる際には、番組番号に応じて絵文字を付加することが考えられる。しかし、ＦＭ文字多重放送は、複数の異なる放送局（周波数）から送信されており、各放送局において番組番号と対応する情報の種別とは異なっており、ある番組番号が一方の局では天気予報であるのに対し、他方の局では交通情報である場合等がある。さらに、同一の放送局であっても、同一種別である複数の情報を各々異なる番組として取り扱い、各番組に異なる番組番号を割り当てている場合もある。したがって、情報に対して番組番号に応じた絵文字を付加すると、異なる種別の情報に同一の絵文字が付加されたり、逆に同一種別の情報に対して異なる絵文字が付加される場合が発生し、呼び出し時に所望の種類の情報を検索して表示させることができない。また、このように、番組番号に応じて絵文字を付加して分類を行うようにすると、分類の形態が番組番号に拘束されることとなり、使用者が独自の分類で情報を記憶させたり、この独自の分類で記憶させた情報を各分類毎に検索することができない。
【０００５】
本発明は、このような従来の課題に鑑みてなされたものであり、煩雑性を伴うことなく、所望の分類で記憶した情報を検索できるようにした情報受信装置を提供することを目的とするものである。
である。
【０００６】
【課題を解決するための手段】
請求項1記載の情報受信装置にあっては、各々識別情報が付加された複数の情報を受信して表示部に表示する情報受信装置であって、複数の分類の内で所望する分類を任意に選択する選択手段と、上記表示部に表示される受信情報に対して、上記選択手段で選択された分類への対応付け設定指示があった際は、その受信情報の識別情報を上記選択分類に対応づけて記憶する分類記憶手段と、上記表示部に表示される受信情報に対して、その受信情報を記憶させる為の記憶指示があった際は、その受信情報の識別情報が上記分類記憶手段の何れかの分類に対応づけて記憶された識別情報か否かを判別する判別手段と、上記判別手段で上記分類記憶手段の何れかの分類に対応づけて記憶された識別情報であると判別された際は、その分類に対応づけて上記受信情報を記憶し、上記判別手段で上記分類記憶手段の何れかの分類に対応づけて記憶された情報種別ではないと判別された際は、分類に対応づけられない情報として上記受信情報を記憶する受信情報記憶手段と、上記各分類の内で所望分類に対する情報呼び出しが指定された場合には、その指定分類に対応づけて記憶された受信情報を検索して表示する情報表示手段と、を備えることを特徴とする。
【０００８】
また、請求項２記載の情報受信装置にあっては、更に上記受信情報記憶手段に記憶された受信情報の呼び出しが指定された場合には、この受信情報記憶手段に記憶された受信情報をその記憶された順番で表示するようにしたことを特徴とする。
【００１３】
【発明の実施の形態】
以下、本発明の一実施の形態について図面に従って説明する。図１は、本実施の形態にかかる多重放送受信装置の構成を示すブロック図である。この多重放送受信装置は、ＦＭ放送電波を受信し対応する音声を発音するＦＭラジオ部１Ａと、このＦＭラジオ部１Ａにより受信したＦＭ放送電波に多重化されている多重データの受信に対する各種の処理を行う多重データ受信部１Ｂとを有している。ＦＭラジオ部１Ａは、ＦＭ放送電波を受信するアンテナ２と、ＦＭ放送電波のチューニングを行うＦＭチューナ３と、ＦＭ信号の復調を行うＦＭ復調器４と、復調されたＦＭ信号をステレオ信号にするステレオ復調器５と、このステレオ復調器５の出力信号を増幅する一対のアンプ６ａ，６ｂと、アンプ６ａ，６ｂで増幅された信号を音声として出力する一対のスピーカ７ａ，７ｂとを具備している。なお、図示しないステレオヘッドホン用ジャックにステレオヘッドホンを装着して、ＦＭステレオ放送を聴取することも勿論可能である。
【００１４】
前記多重データ受信部１Ｂは、前記ＦＭ復調器４に接続され、前記ＦＭステレオ放送のＬ、Ｒ信号の変調度に対して多重信号の大きさ（レベル）を４〜１０％まで変化させるデジタル変調を行いＦＭ放送電波に多重化されている多重データを分離するＬ−ＭＳＫ(Level Controlled Minimum Shift Keying)復調器８と、誤り訂正復調器９と、この多重放送受信装置において必要となる全ての処理及び制御を実行する受信処理部１０とを有している。
【００１５】
この受信処理部１０は、ＣＰＵからなり後述するフローに従って動作することにより、本実施の形態において検索手段を構成するものである。この受信処理部１０に対して、処理プログラムを格納したＲＯＭ１１と、ＥＥＰＲＯＭ１５、複数のキーが設けられたキー入力部１２、表示部１３、記憶手段としてのＲＡＭ１４、及び前記キー入力部１２におけるチューニングキーの操作に応じて前記ＦＭチューナ３の受信チューニングを行う受信制御部１６とが接続されている。キー入力部１２には、電源スイッチや後述するフロー中に示した絵文字設定キー、決定キー、メモリキー、呼び出しキーあるいはカーソルキー等の各種キーが設けられている。
【００１６】
前記ＥＥＰＲＯＭ１５には、図２に示す絵文字テーブル１５Ａが設けられている。この絵文字テーブル１５Ａには、後述する図４のフローに従った処理により、絵文字コードが記憶される絵文字コードエリア１５ａ、及びこの絵文字コードに対応づけてＦＭ放送局の受信周波数が記憶される周波数エリア１５ｂ、及び番組番号が記憶される番組＃エリア１５ｃが設けられている。絵文字コードエリア１５ａには、予め“０１”“０２”等の絵文字コードが書き込まれており、１つの絵文字コードに対して複数の周波数と番組番号とを記憶可能である。なお、各絵文字コードに対応する絵文字の画像データは、ＲＯＭ１１に記憶されている。また、前記ＲＡＭ１４の一部には、図３に示す多重データメモリ１４Ａが設けられている。この多重データメモリ１４Ａは複数のメモリエリアを有し、各メモリエリア毎にヘッダー、絵文字コード、多重データ、エンダーが記憶される。なお、絵文字コードが「ＦＦ」である場合、当該メモリエリアに記憶されいる多重データは、分類情報としての絵文字を付加しないで記憶させたことを意味する。
【００１７】
次に、以上の構成にかかる本実施の形態の動作を、受信処理部１０の処理手順を示したフローチャート等に従って説明する。受信処理部１０は、電源がオンにあり且つＦＭ多重モードが設定されている状態において、図４に示すフローに従って動作し、選択番組表示処理を実行する（ステップＡ１）。すなわち、目次選択画面が選択されているならば、図５のＳ１に示すように、受信中の放送局から送信された番組目次データに基づき、表示部１３に「１．交通情報  ２．ニュース」等の番組目次を表示するとともに、カーソルキーの操作に応じて選択されている目次（図示の場合「２．ニュース」）を反転表示する。また、この番組目次から、何れかの番組を選択する操作が既になされているならば、例えば「２．ニュース」を選択する操作が既になされているならば、同図のＳ２に示すようにニュースの番組内容を表示する。
【００１８】
また、受信処理部１０は、この選択番組表示処理を実行しつつ、キー入力部１２に設けられている絵文字設定キーが操作されたか否かを監視し（ステップＡ２）、絵文字設定キーが操作されたならば、絵文字選択画面表示処理を実行する（ステップＡ３）。このステップＡ３の処理により、表示部１３には図５のＳ３に示すように、複数の絵文字が表示され、これらの絵文字は、例えば交通情報をイメージ的に表す車の絵文字、天気予報をイメージ的に表す太陽の絵文字等である。次に、絵文字選択処理を実行し（ステップＡ４）、このステップＡ４の処理により、キー入力部１２に設けられているカーソルキーの操作に応じて、所望の絵文字を反転表示する。引き続き決定キーの操作があるまで待機し（ステップＡ５）、決定キーの操作があったならば、選択あるいは表示されていた番組に対して選択した絵文字を付加する処理を実行する（ステップＡ６）。
【００１９】
すなわち、図２に示した絵文字テーブル１５Ａにおいて、絵文字コードエリア１５ａに予め書き込まれている絵文字コードに対応させて、周波数エリア１５ｂにその時点で受信していたＦＭ放送局の受信周波数を書き込み、番組＃エリア１５ｃに選択あるいは表示されていた番組の番組番号を書き込む。したがって、図５のＳ１に示すように「２．ニュース」が反転表示されている状態で、あるいはＳ２に示すようにニュースの番組が表示されている状態で絵文字キーを操作し、Ｓ３に示すように左端の絵文字（この絵文字のコードを“０１”とする。）にカーソルを合致させた状態で決定キーを操作し、このとき受信している放送局Ａの周波数が８０．０ＭＨｚであり、この放送局Ａにおけるニュースの番組番号が“１００”であったとすると、図２に示すように、絵文字コードエリア１５ａの絵文字コード「０１」に対応して周波数エリア１５ｂには「８０．０」が記憶され、番組＃エリア１５ｃには「１００」が記憶されることとなる。
【００２０】
また、図６（１）に示すように、他の放送局Ｂの番組目次が表示されている状態で、反転表示されているように「１．ニュース」を選択し、同様にして、絵文字コード“０１”の絵文字を選択して決定キーを操作し、このとき受信している放送局Ｂの周波数が８１．３ＭＨｚであり、この放送局Ｂにおけるニュースの番組番号が“１０５”であったとすると、図２に示すように、絵文字コードエリア１５ａの絵文字コード「０１」に対応して、周波数エリア１５ｂに「８１．３」が、番組＃エリア１５ｃは「１０５」がさらに記憶されることとなる。また、図６（２）に示すように、他の放送局Ｃの番組目次が表示されている状態で、反転表示されているように「３．ニュース」を選択し、同様にして、絵文字コード“０１”の絵文字を選択して決定キーを操作し、このとき受信している放送局Ｃの周波数が８２，５ＭＨｚであり、この放送局Ｃにおけるニュースの番組番号が“１０３”であったとすると、図２に示すように、絵文字コードエリア１５ａの絵文字コード「０１」に対応して、周波数エリア１５ｂに「８２．５」が、番組＃エリア１５ｃに「１０３」が記憶されることとなる。つまり、この図４に示すフローに従った処理が複数回実行されることにより、同一の絵文字コードに対応づけて複数の周波数と番組番号とが絵文字テーブル１５Ａに記憶されることとなる。無論、同一の情報種別である“ニュース”のみを同一の絵文字コードに対応させることなく、異種の情報種別の情報、例えば“ニュース”と“天気予報”とを、同一の絵文字コード“０１”に対応させて記憶させることもできる。
【００２１】
他方、受信処理部１０は、図７に示すフローに従った処理を、前述の図４のフローに従った処理と並行して実行し、選択番組表示処理を行って、受信中の放送局の予め選択されている番組の内容を表示する（ステップＢ１）。また、この番組表示処理を行いつつキー入力部１２に設けられているメモリキーの操作状態を監視し（ステップＢ２）、メモリキーが操作されたならば、当該表示中の番組に対する絵文字割り当てがあるか否か、つまり現在受信中の放送局の受信周波数と表示中の番組の番組番号との１対のデータが、絵文字テーブル１５Ａにおいて何れかの絵文字コードに対応して記憶されているか否かを判別する（ステップＢ３）。この判別の結果、絵文字割り当てがある場合には、情報＋絵文字を多重データメモリ１４Ａに記録する（ステップＢ５）。このステップＢ５の処理により、図３に示したように、多重データメモリ１４Ａの各メモリエリアには、割り当てられている絵文字のコードと対応づけて、表示されていた番組の内容である多重データが記憶される。
【００２２】
しかし、ステップＢ３での判別の結果、絵文字が割り当てられていない場合には、同ツリー（同階層）の上位階層に絵文字が割り当てられているか否かを判別する（ステップＢ４）。すなわち、ＦＭ多重放送の番組は、図８に示すように、階層をなして構成され、左端部の番組目次は番組番号０００であり、送信する情報の目次である「１．番組情報」〜「４．交通情報」を表示する番組の番号である。また、この番組番号０００の番組目次の番組において、例えばキーイン番号４の「交通情報」は、番組番号１３０の交通情報の番組目次を中位階層とし、この中位階層の交通情報の番組目次に対して、番組番号１３１の「首都高速情報」の番組内容と、番組番号１３２の「一般高速情報」の番組内容、及び番組番号１３３の「首都道路情報」の番組内容とを下位階層として有している。
【００２３】
したがって、仮に前述した図４の絵文字割り当て時のフローにおいて、番組番号０００の目次が表示されて「４．交通情報」が反転表示されているときに、絵文字設定キー操作を行ったとすると、絵文字テーブル１５Ａには、番組番号として“１３０”が周波数とともに記憶されている。また、図４の絵文字割り当て時のフローにおいて、番組番号１３０の交通情報の番組目次が表示されて「１．首都高速情報」が反転表示されているときに、絵文字設定キー操作を行ったとすると、絵文字テーブル１５Ａには、番組番号として“１３１”が周波数とともに記憶されている。したがって、図７に示すフロー実行時において、この番組番号１３１の「首都高速情報」の番組内容が表示されている状態で、メモリキーが操作されると、前述したように、ステップＢ３で絵文字の割り当てがあると判別され、ステップＢ３からステップＢ５に進んで、絵文字コードと「首都高速情報」の番組内容とが、多重データメモリ１４Ａに記憶される。
【００２４】
しかし、図７に示すフロー実行時において、番組番号１３２の「一般高速情報」や番組番号１３３の「一般道路情報」の番組内容が表示されている状態で、メモリキーが操作されると、これらの番組番号及び周波数は絵文字テーブル１５Ａに記憶されていないことから、ステップＢ３で絵文字の割り当てがないと判別され、ステップＢ３からステップＢ４に進んで、該ステップＢ４で前述の判別を行う。そして、このステップＢ４の判別を行うに際して、再度絵文字テーブル１５Ａを参照すると、前述の例の場合絵文字テーブルには、番組番号１３２や１３３の番組の周波数と同一周波数であり、上位階層である番組番号１３０が記憶されていることから、ステップＢ４の判別はＹＥＳとなり、当該上位階層の絵文字コードと「一般高速情報」の番組内容や「一般道路情報」の番組内容が、多重データメモリ１４Ａに記憶されることとなる。
【００２５】
また、ステップＢ４での判別の結果、上位階層にも絵文字割り当てがない場合には、表示されている情報のみを多重データメモリ１４Ａに記録し（ステップＢ６）、このとき当該領域のヘッダーに引き続いて文字コードがないことを示す「ＦＦ」が記憶される。
【００２６】
他方、受信処理部１０は、図９に示すフローに従った処理も並行して実行し、キー入力部１２に設けられている呼び出しキー（読み出しキー）の操作があったならば、該呼び出しキーの操作を取り込む（ステップＣ１）。次に、キー入力部１２における所定の操作により、絵文字サーチが指定されたか否かを判別し（ステップＣ２）、絵文字サーチが指定されない場合には、多重データメモリ１４Ａから記録順に多重データを呼び出し（ステップＣ３）、表示部１３に表示させる。したがって、絵文字サーチが指定されない場合には、絵文字コードが“ＦＦ”であって絵文字コードが付加されないで多重データメモリ１４Ａに記録されている多重データも、絵文字コードが付加された多重データと共に順次表示部１３に表示される。
【００２７】
しかし、ステップＣ２での判別の結果、絵文字サーチが指定された場合には、絵文字選択画面を表示部１３に表示させる（ステップＣ４）。このステップＣ４の処理により、前述した図５のＳ３と同様に、表示部１３には絵文字コードに各々対応する複数の絵文字が表示される。次に、この表示された絵文字を指定する操作が行われるまで、すなわち何れかの絵文字を反転表示させて実行キーを押す操作がなされるまで待機する（ステップＣ５）。そして、かかる操作が行われることにより絵文字が指定されたならば、指定された絵文字の絵文字コードと図３の多重データメモリ１４Ａにおいて各多重データに付加されている絵文字コードとを比較して（ステップＣ６）、指定された絵文字の絵文字コードと一致する絵文字コードが多重データメモリ１４Ａに有るか否かを判別し（ステップＣ７）、一致する絵文字コードが無い場合には、データなし画面を表示部１３に表示させて（ステップＣ８）、使用者に指定された絵文字に対応する多重データが多重データメモリ１４Ａに記録されていないことを認識させる。また、一致する絵文字コードが多重データメモリ１４Ａに有る場合には、絵文字コードが一致した多重データを順番（記録順）に呼び出し（ステップＣ９）、表示部１３に表示させる。
【００２８】
したがって、この図９に示すフローに従った処理が実行されることにより、前述した図４のフローに従った処理により絵文字に対応させた周波数により受信された多重データであって、対応させた番組番号の番組の多重データが、指定された絵文字毎に検索される。ここで、図４のフローに従った処理においては、使用者が任意に選択した絵文字に対して、任意の周波数及び任意の番組番号を対応させたことから、この図９に示すフローに従った処理により、使用者が独自の分類で記憶させた多重データを各分類毎に検索して表示することができるとともに、確実に所望の種類の情報のみを検索して表示させることが可能となる。
【００２９】
なお、この実施の形態においては、図３に示したように、多重データメモリ１４Ａの各エリアに各々絵文字コードと多重データとを記憶させるようにしたが、図１０に示すように、多重データメモリ１４Ａに絵文字毎のメモリエリアを設けるとともに絵文字なし用のメモリエリアを設け、各エリアに当該絵文字が割り当てらた多重データや絵文字が割り当てられない多重データを記憶させるようにしてもよい。かかる構成でよれば、多重データ毎に絵文字コードを付加して記憶する必要がなく、記憶するデータ量を少なくすることができる。また、この実施の形態では、ＦＭ多重放送受信装置に本発明を適用した場合を示したが、ＦＭ多重放送受信装置以外にページャーやパソコン通信を行う場合にパソコンに適用してもよい。また、制御部プログラムに関しても、装置本体に着脱可能なＩＣカードやＣＤＲＯＭ等の記憶媒体に記憶させるようにしてもよい。
【００３０】
【発明の効果】
本発明によれば、受信情報をその受信情報の識別情報ではなく、予め対応付け設定された分類に対応づけて分類記憶することができ、その分類単位での情報検索表示を行うことができる。
【００３５】
【図面の簡単な説明】
【図１】本発明の一実施の形態にかかる多重情報受信装置の構成を示すブロック図である。
【図２】ＥＥＰＲＯＭに設けられている絵文字テーブルの構成を示す概念図である。
【図３】ＲＡＭに設けられている多重データメモリの構成を示す概念図である。
【図４】絵文字割り当て時の処理手順を示すフローチャートである。
【図５】同処理手順に基づく表示部の表示遷移図である。
【図６】放送局の番組目次例を示す図である。
【図７】情報記録時の処理手順を示すフローチャートである。
【図８】多重データの階層関係の一例を示す図である。
【図９】呼び出し時の処理手順を示すフローチャートである。
【図１０】多重データメモリ他の構成を示すフローチャートである。
【符号の説明】
１０    受信処理部
１４    ＲＡＭ
１４Ａ    多重データメモリ
１５    ＥＥＰＲＯＭ
１５Ａ    絵文字テーブル
【図１】
0003834895.tif 000002
【図２】
0003834895.tif 000003
【図３】
0003834895.tif 000004
【図４】
0003834895.tif 000005
【図５】
0003834895.tif 000006
【図６】
0003834895.tif 000007
【図７】
0003834895.tif 000008
【図８】
0003834895.tif 000009
【図９】
0003834895.tif 000010
【図１０】
0003834895.tif 000011